(57)【要約】【課題】  優れた融雪効果を有し、金属を腐食せず、さらに低臭気性で周辺の生物に対して悪影響を及ぼさない融雪剤組成物を提供すること。【解決手段】  クエン酸三カリウム（ａ）および非合成系多価アルコール（ｂ）を含む融雪剤組成物であって、該クエン酸三カリウム（ａ）と該非合成系多価アルコール（ｂ）との合計質量に対して、該クエン酸三カリウム（ａ）を２０〜７５質量％および該非合成系多価アルコール（ｂ）を２５〜８０質量％の割合で含む、融雪剤組成物。【選択図】  なし【特許請求の範囲】
【請求項１】
クエン酸三カリウム（ａ）および非合成系多価アルコール（ｂ）を含む融雪剤組成物であって、
該クエン酸三カリウム（ａ）と該非合成系多価アルコール（ｂ）との合計質量に対して、該クエン酸三カリウム（ａ）を２０〜７５質量％および該非合成系多価アルコール（ｂ）を２５〜８０質量％の割合で含む、融雪剤組成物。
【請求項２】
前記非合成系多価アルコール（ｂ）が、グリセリンである、請求項１に記載の融雪剤組成物。
【請求項３】
前記請求項１または２に記載の融雪剤を、建築物または建造物の屋根に散布して融雪する融雪システム。
【発明の詳細な説明】
【技術分野】
【０００１】
本発明は、居住区または居住区近辺の建築物および建造物の屋根、屋上、道路などに散布する融雪剤に関する。さらに詳しくは、優れた融雪効果を有し、金属を腐食せず、さらに低臭気性で周辺の生物に対して悪影響をおよぼさない環境対応型の融雪剤組成物に関する。
【背景技術】
【０００２】
従来、道路などの融雪、氷解、および凍結防止のために、様々な化合物、例えば塩化ナトリウム、塩化カルシウム、塩化マグネシウム、アルコール類などが使用されている。これらの塩素系化合物およびアルコール類は、道路などに散布する場合、特に問題とならない。しかし、建築物および建造物の屋根などに散布する場合、これらの塩素系化合物およびアルコール類によって金属が腐食するという問題がある。
【０００３】
金属に対する腐食性を改善した融雪剤として、酢酸塩と水溶性アルコールとを主成分とする融雪剤が開示されている（特許文献１）。
【０００４】
しかし、酢酸塩を含有する融雪剤は、金属を腐食しないが、酢酸塩由来の臭気のために、居住区および居住区近辺に散布しにくいという問題がある。さらに、この酢酸塩および上記の塩素系化合物は、動植物、特に植物に対する影響について、まったく考慮されていない。したがって、これらを含む融雪剤を散布した後、植物が枯れたり、発育に悪影響を及ぼしたりする場合がある。
【０００５】
これらの化合物またはこれらの化合物を含有する融雪剤は、居住区に隣接しておらず、生物に対する影響を考慮する必要性の低い道路、グランドなどに散布する場合には適しているが、居住区周辺の建築物、建造物などに散布する場合には金属腐食性および生物への悪影響のために不適切である。
【特許文献１】特開平６−２１２１４７号公報
【発明の開示】
【発明が解決しようとする課題】
【０００６】
本発明の目的は、優れた融雪効果を有し、金属を腐食せず、さらに低臭気性で周辺の生物に対して悪影響を及ぼさない融雪剤組成物を提供することにある。
【課題を解決するための手段】
【０００７】
本発明者らは、上記課題を解決するために鋭意検討を行った結果、クエン酸三カリウムと非合成系多価アルコールとを特定の比率で組み合わせることにより、目的とする融雪剤組成物が得られることを見出し、本発明を完成させるに至った。
【０００８】
すなわち、本発明の融雪剤組成物は、クエン酸三カリウム（ａ）および非合成系多価アルコール（ｂ）を含む融雪剤組成物であって、該クエン酸三カリウム（ａ）と該非合成系多価アルコール（ｂ）との合計質量に対して、該クエン酸三カリウム（ａ）を２０〜７５質量％および該非合成系多価アルコール（ｂ）を２５〜８０質量％の割合で含む。
【０００９】
好ましい実施態様においては、前記非合成系多価アルコール（ｂ）が、グリセリンである。
【００１０】
さらに、本発明は、前記請求項１または２に記載の融雪剤を、建築物または建造物の屋根に散布して融雪する融雪システムである。
【発明の効果】
【００１１】
本発明の融雪剤組成物は、優れた融雪効果を有し、金属を腐食せず、さらに低臭気性で周辺の生物に対して悪影響を及ぼさない。
【００１２】
さらに、本発明の融雪システムを用いると、ムラなく均一に融雪し得る。
【発明を実施するための最良の形態】
【００１３】
本発明の融雪剤組成物は、下記のクエン酸三カリウム（ａ）（以下、ａ成分という場合がある）および非合成系多価アルコール（ｂ）（以下、ｂ成分という場合がある）を含み、必要に応じて水などを含む。以下、これらについて順次説明する。
【００１４】
なお、「低臭気」とは、人が臭気を感じないか、感じても気にとめない程度の臭気をいう。
【００１５】
（クエン酸三カリウム）
本発明の融雪剤組成物に用いられるクエン酸三カリウム（ａ）は、無水物および水和物が存在する。本発明においては、無水物および水和物のいずれを用いてもよいが、好ましくは水和物を用いる。クエン酸カリウムには、クエン酸一カリウムも存在するが、このクエン酸一カリウムは、水に対する溶解性および融雪効果が不十分である。したがって、本発明ではクエン酸三カリウムを用いることが好ましい。
【００１６】
本発明においては、植物の発育などに対してほとんど悪影響を及ぼさないようにするために、カリウム塩を用いる。カリウム塩以外の金属塩では、環境に対して悪影響を及ぼす場合がある。
【００１７】
酸がクエン酸以外のカルボン酸、例えば酢酸などの場合には、上述のように環境への影響および臭気の問題がある。
【００１８】
（非合成系多価アルコール）
本発明の融雪剤組成物に用いられる非合成系多価アルコール（ｂ）は、天然物、例えば生物源から得られる常温で液体の多価アルコールである。非合成系多価アルコールとしては、例えば、グリセリン、ポリグリセリン、ソルビトール、エリスリトールなどが挙げられる。これらの中で、融雪剤の調製の容易さ、経済的な面などからグリセリンが好ましい。
【００１９】
（融雪剤組成物）
本発明の融雪剤組成物は、上述のように、クエン酸三カリウム（ａ成分）および非合成系多価アルコール（ｂ成分）を特定の割合で含み、必要に応じて水などを含む。
【００２０】
クエン酸三カリウム（ａ成分）は、ａ成分とｂ成分との合計質量に対して２０〜７５質量％、好ましくは２５〜７０質量％の割合で含まれる。２０質量％未満の場合は、融雪剤組成物の凝固点が高くなる。７５質量％を超える場合は、クエン酸三カリウムが溶け残り、均一に溶解しない。
【００２１】
非合成系多価アルコール（ｂ成分）は、ａ成分とｂ成分との合計質量に対して２５〜８０質量％、好ましくは３０〜７５質量％の割合で含まれる。２５質量％未満の場合は、融雪剤組成物の凝固点が高くなる。さらに、融雪剤組成物の粘度が低くなり、雪への付着性が悪くなり、十分な融雪効果が得られない。８０質量％を超える場合は、融雪剤組成物の流動性が悪くなり、雪の上で均一に広がりにくくなる。ｂ成分は単独で用いてもよいし、２種類以上を併用してもよい。
【００２２】
さらに、必要に応じて水を用いる場合、水の種類は、硬水および軟水のいずれでもよい。例えば、水道水、イオン交換水、工業用水、蒸留水などが挙げられる。経済的な面から、水道水および工業用水が好ましい。融雪剤組成物中の水の含有量としては、ａ成分とｂ成分との合計質量に対して、好ましくは０．１〜１０倍量程度、より好ましくは０．１〜２倍量である。
【００２３】
本発明の融雪剤組成物は、液状であり、かつ適度な粘度および濡れ性を有するので、金属表面、樹脂表面などの様々な平滑な表面に均一に広げることができる。したがって、特に建築物または建造物の屋根などの均一な面に散布した場合、本発明の融雪剤組成物は、優れた広がり性、持続性、および即効性によって、優れた融雪効果を発揮し得る。
【００２４】
道路、ゴルフ場、テニスコートなどに散布する場合、金属腐食性は、考慮する必要がないので、塩素系の融雪剤を使用することが多い。しかし、建築物または建造物などにこれらの塩素系融雪剤を散布すると、金属、コンクリートなどを腐食するため、好ましくない。一方、本発明の融雪剤組成物は、鉄、非鉄金属（アルミニウム、銅など）など様々な金属に対する腐食性にも優れている。したがって、建築物または建造物、これらの近辺などに散布しても、問題なく使用し得る。
【００２５】
本発明の融雪剤組成物は、高濃度状態（１０質量％以上）でも低臭気であるため、居住区および居住区近辺に散布した場合、酢酸塩系の融雪剤のように刺激臭を発生しない。したがって、散布した近辺の生活環境に対しても悪影響を及ぼさない。
【００２６】
さらに、本発明の融雪剤組成物は、動植物に対して悪影響を及ぼしにくいクエン酸三カリウムを使用している。したがって、本発明の融雪剤組成物を散布した場所、または本発明の融雪剤組成物が、散布後に融雪されて生じる水が流れ着いた場所の植物などの生態系に悪影響を及ぼさない。
【００２７】
（融雪システム）
本発明の融雪剤組成物を使用して融雪する方法としては、融雪剤を原液のまま積雪表面に散布してもよいし、水で２〜１０倍程度に希釈して散布してもよい。本発明の融雪剤組成物の散布量は、希釈濃度、気温などの気象条件、散布する表面の状態などにより異なるが、０．１〜１０ｋｇ／ｍ２の量で散布することが好ましい。
【００２８】
本発明の融雪剤組成物は、居住区または居住区近辺の建築物または建造物の屋根、屋上、道路などの積雪に対して散布し得る。特に、建築物または建造物の屋根に散布した場合、優れた効果を発揮する。散布方法としては、本発明の融雪剤組成物を、積雪前に予め屋根上に均一に散布してもよいし、積雪後に積雪表面にまたは雪中に散布してもよい。本発明の融雪システムの一例を図１に示す。
【００２９】
図１に示すように、建築物または建造物の屋根に散布する場合、融雪剤原液タンク１、送液ポンプ２、開閉弁３ａおよび３ｂ、移送用配管４、散布ノズル５などを、予め建築物または建造物に設置し、積雪前に屋根に散布または積雪後の雪中もしくは積雪表面に散布することが好ましい。
【００３０】
開閉弁３ａおよび３ｂを設け、配管内部を加圧できるように構成することによって、複数の散布ノズル５から均一に融雪剤組成物が噴出される。したがって、本発明の融雪システムによれば、ムラなく均一に融雪し得る。
【００３１】
融雪剤組成物を散布するノズル数、ノズルの形状、散布量などを適宜調整して散布することが好ましい。本発明の融雪剤を積雪表面、屋根などの平滑な表面に散布する場合、好ましく使用し得るノズルとしては、例えば、扇形ノズル、クイックボールノズル、均等扇形ノズル、デスケーラノズル、片扇形ノズル、空気吸入式扇形ノズル、充円錐ノズル、充角錐ノズル、直進ノズル、トリミングノズル、空円錐ノズルなどが挙げられる。これらのノズルの中で、扇形ノズルおよび充円錐ノズルがより好ましい。
【実施例１】
【００３２】
次に実施例によって、本発明をさらに詳細に説明する。
【００３３】
（実施例１）
表１に示すように、クエン酸三カリウムを１５質量％、グリセリンを６０質量％、および水道水を２５質量％の割合で配合し、融雪剤１を調製した。
【００３４】
（実施例２〜４）
実施例１と同様にして、表１に記載の成分を表１に記載の割合で配合し融雪剤（融雪剤２〜４）を調製した。
【００３５】
（比較例１〜６）
実施例１と同様にして、表１に記載の成分を表１に記載の割合で配合し融雪剤（融雪剤５〜１０）を調製した。
【００３６】
得られた融雪剤１〜１０の状態を表１に示す。
【００３７】
【表１】
2006306904.tif 000002
【００３８】
表１に示すように、融雪剤１〜８および融雪剤１０は、均一透明の液体であった。しかし、融雪剤９は、使用した塩（クエン酸カルシウム）が溶解せず残っていた。
【００３９】
次いで、均一透明な融雪剤１〜８および融雪剤１０について、（１）凝固点の測定、（２）臭気判定、および（３）金属腐食性試験を行った。さらに、融雪剤２、６、７、および１０を用いて（４）植物の発育試験を行った。
【００４０】
（１）凝固点の測定
融雪剤１〜８および融雪剤１０の凝固点を、JAOCS2.3.5.2-71凝固点（シュコッフ法）に準じて測定した。結果を表２に示す。
【００４１】
（２）臭気判定
融雪剤１〜８および融雪剤１０の原液、２質量倍の水で希釈した希釈液、および１０質量倍の水で希釈した希釈液について、５人のパネラーに臭気判定をしてもらった。そして、下記のように判定した。
○：５人中、誰も臭いを感じなかった場合
△：５人中、１〜３人が臭いを感じた場合
×：５人中、４人以上が臭いを感じた場合
結果を表２に示す。
【００４２】
（３）金属腐食性試験
鋼板（ＳＰＣＣ）、アルミ板、および銅版のテストピースを、それぞれグラインダーで研磨し、脱脂し、そして乾燥させた。次いで、融雪剤１〜８および融雪剤１０の原液にそれぞれのテストピースの全体を浸漬した後、テストピースの下から１／２の高さまで浸漬するように保持し、３日後の腐食の発生を目視で観察した。テスト温度は室温だった。そして、それぞれのテストピースについて、下記のように判定した。
○：変化がなかった場合
△：錆および変色が若干観察された場合
×：錆および変色が著しく観察された場合
結果を表２に示す。
【００４３】
【表２】
2006306904.tif 000003
【００４４】
表２の結果から、本発明の融雪剤１〜４は、臭気および各種金属に対する腐食性について優れていた。
【００４５】
一方、酢酸カリウムを含有する融雪剤５および６は、臭気を有するため居住区などへの散布には不適切であることが分かった。塩化カルシウムを含有する融雪剤７および塩化ナトリウムを含有する融雪剤８は、金属を腐食するので、建築物または建造物に直接散布することは不適切であることが分かった。
【００４６】
（４）植物の発育試験（カイワレ大根の発育試験）
融雪剤２、６、７、および１０を用いて、下記の方法で植物（カイワレ大根）の発育試験を行った。
【００４７】
融雪剤２、６、および１０をそれぞれ水で５０質量倍に希釈し、希釈液（有効成分濃度１．４質量％）を調製した。融雪剤７は、融雪剤２、６、および１０の希釈液と同じ有効成分濃度となるように調製した。すなわち、融雪剤７を水で２８．６質量倍に希釈し、塩化カルシウム濃度が１．４質量％となるように希釈液を調製した。
【００４８】
次いで、それぞれ調製した希釈液にろ紙を浸した。浸したろ紙をシャーレの中に入れて、ろ紙の上にカイワレ大根の種子を数個置いた。シャーレに蓋を被せ、日当たりが良好な場所に１週間静置し、発芽状態を観察した。１週間後の状態を、下記のように判定した。
○：植物への影響が確認されなかった場合
△：植物に若干悪影響を及ぼしていた場合
×：植物に著しく悪影響を及ぼしていた場合
結果を表３に示す。
【００４９】
【表３】
2006306904.tif 000004
【００５０】
表３の結果から、本発明の融雪剤２は、植物（カイワレ大根）の発育に悪影響を及ぼさなかった。
【００５１】
一方、酢酸カリウムを含有する融雪剤６、塩化カルシウムを含有する融雪剤７、およびクエン酸三ナトリウムを含有する融雪剤１０は、植物（カイワレ大根）の発育に対して悪影響を及ぼしていることが分かった。
【産業上の利用可能性】
【００５２】
本発明の融雪剤は、優れた融雪効果を有し、金属を腐食せず、さらに低臭気性で周辺の生物に対して悪影響を及ぼさないので、特に建築物および建造物の屋根などに散布する融雪剤として利用し得る。したがって、雪下ろし、除雪などにかかる労力、危険なども回避し得る。
【図面の簡単な説明】
【００５３】
【図１】本発明の融雪剤組成物の散布装置概略図を示す。
【符号の説明】
【００５４】
１    原液タンク
２    送液ポンプ
３    開閉弁
４    移送用配管
５    散布ノズル
【図１】
2006306904.tif 000005